(57)【要約】【課題】  コネクタの製造工数を低減して、かつ端子のがたつきを防止すること。【解決手段】  箱型のコネクタハウジング１と、コネクタハウジング１に形成された断面矩形の端子収納室１ａと、端子収納室１ａに挿脱可能に収納される雌型の端子５と、端子収納室１ａに臨ませて設けられ端子５の脱出を規制する係止ランス７と、係止ランス７に対向させて端子収納室１ａに臨ませて設けられ端子５を脱出方向に押圧する押圧部材９とを備えて構成され、押圧部材９は、弾性を有する部材により形成され、コネクタハウジング１に片持ち支持されて、端子５の挿入方向に延在させて設けられ、先端に端子収納室の内部に突出して形成された先端部４１を有して形成され、先端部４１は、端子の端子収納室１ａへの挿入過程で端子の先端部３０に当接して押圧部材９を端子収納室１ａから退避させる方向の変形力を受け、変形力により端子５を脱出方向に押圧する形状に形成されてなる。【選択図】  図１
2009245634.tif 000002
【特許請求の範囲】
【請求項１】
コネクタハウジングと、該コネクタハウジングに形成された端子収納室と、該端子収納室に挿脱可能に収納される端子と、前記端子収納室に臨ませて設けられ前記端子の脱出を規制する係止ランスと、該係止ランスに対向させて前記端子収納室に臨ませて設けられ前記端子を脱出方向に押圧する押圧部材とを備えてなり、
前記係止ランスは、弾性を有する部材により形成され、後端が前記コネクタハウジングに片持ち支持されて、前記端子の挿入方向に延在させて設けられ、先端に前記端子収納室の内部に突出して前記端子の脱出方向の動きを規制する先端部を有して形成され、
前記端子は、前記端子収納室への挿入過程で前記係止ランスを前記端子収納室から退避させる方向に押圧力を付与し、前記係止ランスの先端部を越えた位置で前記押圧力を解除して、該押圧力が解除された前記係止ランスの先端部に当接する係止部を有して形成され、
前記押圧部材は、弾性を有する部材により形成され、前記コネクタハウジングに片持ち支持されて、前記端子の挿入方向に延在させて設けられ、先端に前記端子収納室の内部に突出して形成された先端部を有して形成され、該先端部は、前記端子の前記端子収納室への挿入過程で前記端子の先端部に当接して前記押圧部材を前記端子収納室から退避させる方向の変形力を受け、該変形力により前記端子５を脱出方向に押圧する形状に形成されてなることを特徴とするコネクタ。
【請求項２】
請求項１に記載のコネクタにおいて、
前記押圧部材は、前記コネクタハウジングの壁部材に前記端子の挿入方向と略直交する方向に並設された２つのスリットを設けて形成されてなることを特徴とするコネクタ。
【請求項３】
請求項１に記載のコネクタにおいて、
前記押圧部材の先端部は、前記端子の先端部に当接する面が前記変形力により前記端子を脱出方向に押圧するように傾斜された傾斜面を有してなることを特徴とするコネクタ。
【発明の詳細な説明】
【技術分野】
【０００１】
本発明は、コネクタに係り、特に、コネクタハウジングに収容される端子のがたつきを防止する技術に関する。
【背景技術】
【０００２】
従来、雌型の端子と雄型の端子を接続するコネクタは、例えば、自動車等に搭載されるワイヤハーネスと電気、電子機器とを電気的に接続するために用いられる。このようなコネクタとしては、コネクタハウジングと、コネクタハウジングに形成された端子収納室と、端子収納室に挿脱可能に収納される端子と、端子収納室に臨ませて設けられ端子の脱出を規制する係止ランスとを備えて構成されるものが知られている。
【０００３】
ところで、コネクタハウジングに収納された雌型の端子の装着状態にがたつきがあると、雌型の端子が雄型の端子に対して摺動し、雌型の端子と雄型の端子の接点が摩耗したり、端子同士の導通が不安定となってコネクタの信頼性が損なわれるという問題がある。
【０００４】
そこで、端子のがたつきを防止するために、端子収納室の後部に端子の後方への移動を規制する端子係止部を有するリアホルダをコネクタハウジングと別体に設け、このリアホルダに設けられた弾性部材からなる腕部によりリアホルダを前方へ付勢して端子を前方に付勢し、コネクタハウジングの端子収納室の前部に設けられた規制部に端子を当接させて係止する技術が開示されている。（例えば、特許文献１）。
【０００５】
【特許文献１】特開平９−２１３３９９号公報
【発明の開示】
【発明が解決しようとする課題】
【０００６】
しかしながら、特許文献１のコネクタにおいては、リアホルダがコネクタハウジングと別体であるから、製造工数が増加する。
【０００７】
本発明は、コネクタの製造工数を低減して、かつ端子のがたつきを防止することを課題とする。
【課題を解決するための手段】
【０００８】
上記の課題を解決するため、本発明のコネクタは、コネクタハウジングと、コネクタハウジングに形成された端子収納室と、端子収納室に挿脱可能に収納される端子と、端子収納室に臨ませて設けられ端子の脱出を規制する係止ランスと、係止ランスに対向させて端子収納室に臨ませて設けられ端子を脱出方向に押圧する押圧部材とを備えてなり、係止ランスは、弾性を有する部材により形成され、後端がコネクタハウジングに片持ち支持されて、端子の挿入方向に延在させて設けられ、先端に端子収納室の内部に突出して端子の脱出方向の動きを規制する先端部を有して形成され、端子は、端子収納室への挿入過程で係止ランスを端子収納室から退避させる方向に押圧力を付与し、係止ランスの先端部を越えた位置で押圧力を解除して、押圧力が解除された係止ランスの先端部に当接する係止部を有して形成され、押圧部材は、弾性を有する部材により形成され、コネクタハウジングに片持ち支持されて、端子の挿入方向に延在させて設けられ、先端に端子収納室の内部に突出して形成された先端部を有して形成され、先端部は、端子の端子収納室への挿入過程で端子の先端部に当接して押圧部材を端子収納室から退避させる方向の変形力を受け、変形力により端子を脱出方向に押圧する形状に形成されてなることを特徴とする。
【０００９】
このようにしたことから、端子を端子収納室へ挿入すると、その過程で端子の係止部が係止ランスを押圧し、係止ランスが退避する方向に変形する。次に端子の係止部が係止ランスの先端部を越えた位置で係止ランスへの押圧力を解除する。これにより、係止ランスが弾性力により元の位置に復帰し、端子の係止部が係止ランスの先端部に係止して、端子の脱出を防止する。一方、端子の先端部が押圧部材の先端部に当接すると、端子の先端部が押圧部材を押圧して、押圧部材が端子収納室から退避する方向に変形する。この変形により、押圧部材が元の形状に戻ろうとする力（復元力）が端子に作用して、この力によって端子を脱出方向に押圧して端子を脱出方向に移動させ、端子の係止部を係止ランスの先端部に押し付ける。このようにして、端子の係止部を係止ランスの先端部に押し付けた状態で保持できるから、端子のがたつきを防止することができる。その結果、コネクタの製造工数を低減して、かつ端子のがたつきを防止することができる。
【００１０】
この場合、押圧部材を、コネクタハウジングの壁部材に端子の挿入方向と略直交する方向に並設された２つのスリットを設けて形成すれば、コネクタの製造工数をより低減することができる。また、押圧部材の先端部を、端子の先端部に当接する面が変形力により端子を脱出方向に押圧するように傾斜された傾斜面を有する構成とすることで、押圧部材の変形力により端子を脱出方向に押圧する分力とすることができる。
【発明の効果】
【００１１】
本発明によれば、コネクタの製造工数を低減して、かつ端子のがたつきを防止することができる。
【発明を実施するための最良の形態】
【００１２】
以下、本発明を実施の形態に基づいて説明する。図１は本発明の一実施形態のコネクタの断面図である。図２は本実施形態のコネクタハウジングであり、（ａ）は正面図、（ｂ）は斜視図である。図３は本実施形態の端子の要部を示す断面斜視図である。図１乃至３に示すように、本実施形態のコネクタは、箱型のコネクタハウジング１と、コネクタハウジング１に形成された断面矩形の端子収納室１ａと、端子収納室１ａに挿脱可能に収納される雌型の端子５と、端子収納室１ａに臨ませて設けられ端子５の脱出を規制する係止ランス７と、係止ランス７に対向させて端子収納室１ａに臨ませて設けられ端子５を脱出方向に押圧する押圧部材９とを備えて構成されている。
【００１３】
コネクタハウジング１は合成樹脂で形成され、端子収納室１ａの上部に設けられた上壁部１１と底部に設けられた底壁部１２とを備えている。コネクタハウジング１には、端子５の相手方の雄型の端子（図示せず）が挿入される断面矩形の開口部１３と端子５を取り外すための治具が挿入される開口部１４が設けられている。
【００１４】
係止ランス７は、コネクタハウジング１と一体で形成され、後端がコネクタハウジング１に片持ち支持され、端子５の挿入方向（図１の矢印で示す方向）に延在させて設けられている。また、係止ランス７には、先端に端子収納室１ａの内部に突出して端子５の脱出方向（図１の矢印と反対の方向）の動きを規制する突起を有する先端部１５が設けられている。係止ランス７の先端部１５には、端子５を支持する支持面１６が形成されている。また、係止ランス７の先端部１５の突起には、挿入方向に対して垂直な係止面１７と、係止面１７に連なる面１８と、面１８に連なる面１９が形成されている。
【００１５】
端子５は、延性を有する導電性部材（例えば、銅など）で形成され、板状の導電性部材をプレス加工して形成されている。具体的に、端子５は、低部に設けられた底壁部２１、２２と、この底壁部２１、２２の両側に延設された側壁部２３と、この側壁部２３上部に延設された上壁部２５、２６によって矩形筒状に形成されている。この矩形筒状の端子５の断面形状は端子収納室１ａの断面矩形の形状に対応している。端子５には、底壁部２１に連なって曲折して形成された弾性接触片部２７が設けられ、上壁部２６には、プレス加工して形成された端子接触部２９が設けられている。端子５は、端子接触部２９と弾性接触片部２７との間に相手方の雄型端子が開口部１３から挿入されて端子接触部２９及び弾性接触片部２７に当接すると、弾性接触片部２７が弾性変形し、所定の接触圧で雄型端子を押圧するようになっている。
【００１６】
また、端子５の先端に設けられた先端部３０には、後述する押圧部材９の傾斜面４３に対向するように所定の角度で傾斜した傾斜面３１が形成され、端子５の後部には、図示していない電線が接続される接続部３２が設けられている。端子５の底壁部２１には、係止ランス７の先端部１５に当接する係止部３３が設けられている。この係止部３３には、係止ランス７の係止面１７に当接可能な係止面３５と、端子収納室１ａの底面と平行な面３６が形成されている。すなわち、端子５は、端子５の端子収納室１ａへの挿入過程で面３６により係止ランス７の面１８、１９に当接して係止ランス７を端子収納室１ａから退避させる方向に押圧力を付与し、端子５の係止面３５が係止ランス７の係止面１７を越えた位置で押圧力を解除するようになっている。
【００１７】
次に図１、２を用いて本実施形態の特徴部である押圧部材の構造について説明する。図示のように、押圧部材９は、コネクタハウジング１の上壁部１１（壁部材）先端側に、端子５の挿入方向と略直交する方向に並設された２本のスリット３９を形成することにより、コネクタハウジング１に片持ち支持されて、端子５の挿入方向に延在させて設けられている。押圧部材９の先端には、端子収納室１ａの内部に突出した突起を有する先端部４１が設けられている。先端部４１の突起には、突起の先（図１の下方）に進むにつれて端子５から離れる方向に所定の角度で傾斜して形成された傾斜面４３と傾斜面４３に連なる面４５と、面４５に連なる傾斜面４７が形成されている。つまり、押圧部材９の傾斜面４３は、端子５の傾斜面３１に当接して、押圧部材９の変形力により端子５を脱出方向に押圧するようになっている。
【００１８】
次に、コネクタハウジングに端子を装着する際の動作について図１、４、５を用いて説明する。図４、図５は本実施形態のコネクタハウジングに端子を装着する際の動作説明図である。まず、図１に示すように、端子５をコネクタハウジング１の端子収納室１ａの内部に図の矢印の方向に挿入する。この端子５の挿入過程で、端子５の面３６が係止ランス７の面１８、１９に当接して押圧し、係止ランス７が退避する方向（図２の下方）に変形する。次に、図４に示すように、端子５の係止面３５が係止ランス７の係止面１７を越えた位置で係止ランス７への押圧力を解除する。係止ランス７への押圧力が解除されると、係止ランス７が弾性力により元の位置に復帰する。これによって、端子５の係止面３５が係止ランス７の係止面１７に脱出方向へ係止可能な状態となる。
【００１９】
一方、図４に示すように、端子５の傾斜面３１が押圧部材９の傾斜面４３に当接すると、端子５の傾斜面３１が押圧部材９の傾斜面４３を押圧して、押圧部材９が端子収納室１ａから退避する方向（図４の矢印で示す方向）に変形する。この変形により、押圧部材９が元の形状に戻ろうとする力（復元力）が端子５に作用して、この力によって端子５を脱出方向に押圧して端子５を脱出方向に移動させ、図５に示すように、端子５の係止面３５を係止ランス７の係止面１７に当接させて脱出方向に押し付ける。
【００２０】
このように、端子５の係止面３５を係止ランス７の係止面１７に当接させて脱出方向に押し付けた状態で保持できることから、端子５の係止面３５と係止ランス７の係止面１７との間に隙間が生じるのを防止することができ、端子５のがたつきを防止することができる。また、押圧部材９は、コネクタハウジング１の壁部材である上壁部１１にスリット３９を設けて形成することができるので、コネクタの製造工数を低減することができる。
【００２１】
また、押圧部材９の先端部４１を、端子５の先端部３０に当接する面が復元力により端子５を脱出方向に押圧するように傾斜された傾斜面４３を有する構成とすることで、簡単な形状で押圧部材９の変形力により端子５を脱出方向に押圧する分力とすることができる。また、傾斜面であれば、端子を脱出方向に押圧することができるので、傾斜面の加工精度を厳しくする必要がなく、コネクタの製造を容易にすることができる。
【００２２】
本実施形態においては、押圧部材９の先端部４１には、傾斜面４３を設けているが、先端部４１の形状は、係止ランス７の係止面１７に端子５の係止面３５が当接したときに押圧部材９の先端部４１が端子５の先端部３０に当接して押圧部材９の変形力により端子５を脱出方向に押圧する分力を付与できる形状であればよく、例えば、傾斜面４１に代えて曲面にすることができる。また、本実施形態の端子５の傾斜面３１の角度は押圧部材９の傾斜面４３に対向するように角度を設定しているが、端子５の先端部３０が押圧部材９の傾斜面４３に当接できる形状であればよく、傾斜面３１の角度は本実施形態に限らない。また、傾斜面３１に代えて、例えば、曲面にすることができ、傾斜面３１を設けなくてもよい。
【００２３】
また、端子５の係止面３５及び係止ランス７の係止面１７は、挿入方向に対して垂直に設けているが、端子５の係止部３３と係止ランス７の先端部１５が互いに当接して端子５の脱出方向への移動を規制することができる形状であればよく、例えば、傾斜面や曲面にすることができる。
【００２４】
また、押圧部材９は、コネクタハウジング１の上壁部１１の先端側にスリット３９を形成することに設けられているが、押圧部材９は、係止ランス７の係止面１７に端子５の係止面３５が当接したときに端子５の先端部３０に当接して端子５を脱出方向に付勢できるものであればよく、例えば、コネクタハウジング１の上壁部１１の先端側に貫通した穴を設け、この穴に棒状又は板状の弾性を有する部材を端子収納室１ａに向けて差し込んで傾斜して配置し、上壁部１１に一端を固定し、他端を端子収納室１ａの内部に突出して設けてもよい。
【図面の簡単な説明】
【００２５】
【図１】本発明の一実施形態のコネクタの断面図である。
【図２】本実施形態のコネクタハウジングであり、（ａ）は正面図、（ｂ）は斜視図である。
【図３】本実施形態の端子の要部を示す断面斜視図である。
【図４】コネクタハウジングに端子を装着する際の動作説明図である。
【図５】コネクタハウジングに端子を装着する際の動作説明図である。
【符号の説明】
【００２６】
１  コネクタハウジング
１ａ  端子収納室
５  端子
７  係止ランス
９  押圧部材
１５、３０、４１  先端部
１７、３５  係止面
３１、４３  傾斜面
３３  係止部
【図１】
2009245634.tif 000003
【図２】
2009245634.tif 000004
【図３】
2009245634.tif 000005
【図４】
2009245634.tif 000006
【図５】
2009245634.tif 000007